(57)【要約】【課題】画質を高めることができる表示装置を得る。【解決手段】画素を有する表示部と、複数のサブ輝度情報を含む輝度情報に基づいて表示部を駆動する駆動部とを備える。上記駆動部は、各サブ輝度情報に対して設定される１または複数の表示期間において、各サブ輝度情報に基づいて画素を時分割的に駆動し、各表示期間の開始タイミングおよび表示期間の数の一方または双方が変更可能に構成されている。【選択図】図８
2015155989.tif 000002
【特許請求の範囲】
【請求項１】
画素を有する表示部と、
複数のサブ輝度情報を含む輝度情報に基づいて前記表示部を駆動する駆動部と
を備え、
前記駆動部は、各サブ輝度情報に対して設定される１または複数の表示期間において、各サブ輝度情報に基づいて前記画素を時分割的に駆動し、
各表示期間の開始タイミングおよび前記表示期間の数の一方または双方が変更可能に構成された
表示装置。
【請求項２】
前記駆動部は、各サブ輝度情報に対して１つの表示期間を設定する第１の動作モードを有し、
前記輝度情報は、第１のサブ輝度情報および第２のサブ輝度情報を含む所定数のサブ輝度情報を含み、
前記第１の動作モードにおいて、前記第１のサブ輝度情報に対して設定される表示期間の中心タイミングと、前記第２のサブ輝度情報に対して設定される表示期間の中心タイミングとの間の第１のタイミング差は、フレーム期間の時間長を前記所定数で割った区分時間長よりも短い
請求項１に記載の表示装置。
【請求項３】
前記駆動部は、各サブ輝度情報に対して１つの表示期間を設定する第２の動作モードを有し、
前記第２の動作モードにおける前記第１のタイミング差は、前記第１の動作モードにおける前記第１のタイミング差よりも長い
請求項２に記載の表示装置。
【請求項４】
前記輝度情報は、第３のサブ輝度情報をさらに含む
請求項２に記載の表示装置。
【請求項５】
前記第２のサブ輝度情報に対して設定される表示期間は、前記第１のサブ輝度情報に対して設定される表示期間、および前記第３のサブ輝度情報に対して設定される表示期間よりも長い
請求項４に記載の表示装置。
【請求項６】
前記第１の動作モードにおいて、前記第１のタイミング差は、一の輝度情報に対して設定される複数の表示期間のうちの最後の期間の中心タイミングと、前記一の輝度情報の次の一の輝度情報に対して設定される複数の表示期間のうちの最初の期間の中心タイミングとの間の第２のタイミング差よりも小さい
請求項２に記載の表示装置。
【請求項７】
前記駆動部は、各サブ輝度情報に対して複数の表示期間を設定する第３の動作モードをさらに有し、
前記第３の動作モードにおいて、
前記第１のサブ輝度情報に対して設定される複数の表示期間のうちの最後の期間の中心タイミングと、前記第２のサブ輝度情報に対して設定される表示期間のうちの最初の期間の中心タイミングとの間の第３のタイミング差は、フレーム期間の時間長を前記所定数で割った区分時間長よりも短く、
一の輝度情報に対して設定される複数の表示期間のうちの最後の期間の中心タイミングと、前記一の輝度情報の次の一の輝度情報に対して設定される複数の表示期間のうちの最初の期間の中心タイミングとの間の第４のタイミング差は、前記区分時間長よりも短い
請求項２に記載の表示装置。
【請求項８】
前記駆動部は、前記第３の動作モードにおいて、各サブ輝度情報に対して２つの表示期間を設定する
請求項７に記載の表示装置。
【請求項９】
前記第３の動作モードにおいて、
前記第１のサブ輝度情報に対して設定される複数の表示期間のうちの最後の期間の時間長は、最初の期間の時間長よりも長く、
前記第２のサブ輝度情報に対して設定される複数の表示期間のうちの最初の期間の時間長は、最後の期間の時間長よりも長い
請求項７に記載の表示装置。
【請求項１０】
前記第３の動作モードにおいて、
前記第１のサブ輝度情報に対して設定される複数の表示期間のうちの最後の期間の時間長は、最初の期間の時間長よりも長く、
前記第２のサブ輝度情報に対して設定される複数の表示期間のうちの最初の期間の時間長は、最後の期間の時間長よりも長い
請求項７に記載の表示装置。
【請求項１１】
前記駆動部は、フレーム画像の動き量に基づいて、動作モードを決定する
請求項２に記載の表示装置。
【請求項１２】
前記駆動部は、フレーム画像における、動きのある画像部分の比率に基づいて、動作モードを決定する
請求項２に記載の表示装置。
【請求項１３】
各表示期間の長さに応じて、対応するサブ輝度情報を補正する補正部をさらに備えた
請求項１に記載の表示装置。
【請求項１４】
入力輝度情報の値がとりうる範囲を複数の階調範囲に区分し、前記入力輝度情報の各階調範囲における輝度情報成分を各サブ輝度情報として求める信号生成部をさらに備えた
請求項１に記載の表示装置。
【請求項１５】
画素を有する表示部と、
発光部と、
複数のサブ輝度情報を含む輝度情報に基づいて前記表示部および前記発光部を駆動する駆動部と
を備え、
前記駆動部は、各サブ輝度情報に基づいて前記画素を時分割的に駆動するとともに、各サブ輝度情報に対して設定される１または複数の発光期間において前記発光部を駆動し
各発光期間の開始タイミングおよび前記発光期間の数の一方または双方が変更可能に構成された
表示装置。
【請求項１６】
前記表示部は液晶表示部であり、
前記発光部はバックライトであり、
前記駆動部は、複数の動作モードを有し、動作モードに応じて、各発光期間の開始タイミングおよび前記発光期間の数の一方または双方を変化させる
請求項１５に記載の表示装置。
【請求項１７】
輝度情報に含まれる複数のサブ輝度情報のそれぞれに対して１または複数の表示期間を設定することと、
前記１または複数の表示期間において、各サブ輝度情報に基づいて画素を時分割的に駆動することと
を含み、
各表示期間の開始タイミングおよび前記表示期間の数の一方または双方が変更可能である
表示装置の駆動方法。
【請求項１８】
表示装置と
前記表示装置に対して動作制御を行う制御部と
を備え、
前記表示装置は、
画素を有する表示部と、
複数のサブ輝度情報を含む輝度情報に基づいて前記表示部を駆動する駆動部と
を備え、
前記駆動部は、各サブ輝度情報に対して設定される１または複数の表示期間において、各サブ輝度情報に基づいて前記画素を時分割的に駆動し、
各表示期間の開始タイミングおよび前記表示期間の数の一方または双方が変更可能に構成された
電子機器。
【発明の詳細な説明】
【技術分野】
【０００１】
本開示は、電流駆動型の表示素子を有する表示装置、およびそのような表示装置の駆動方法、ならびにそのような表示装置を備えた電子機器に関する。
【背景技術】
【０００２】
近年、表示装置は、テレビジョン受像機やモニタに加え、タブレット端末やスマートフォンなどの携帯型電子機器などをも含めた様々な電子機器に幅広く用いられている。これらの表示装置では、画質のさらなる向上に向けて様々な開発が行われている。
【０００３】
画質を示すパラメータの一つにダイナミックレンジがある。ダイナミックレンジは、最低輝度と最高輝度との比として定義されるものであり、一般に値が高いほど望ましいものである。例えば、特許文献１には、表示パネルの表現性能を超える幅広いダイナミックレンジによる表示（いわゆるハイダイナミックレンジ（ＨＤＲ）表示）の実現を図る表示装置が開示されている。この表示装置では、例えば、入力画像から、互いに異なる階調範囲の２つの画像を生成し、これらを時分割表示するようになっている。
【先行技術文献】
【特許文献】
【０００４】
【特許文献１】特開２０１０−２７６９６８号公報
【発明の概要】
【発明が解決しようとする課題】
【０００５】
このように、表示装置では、画質の向上が望まれており、画質のさらなる向上が期待されている。
【０００６】
本開示はかかる問題点に鑑みてなされたもので、その目的は、画質を高めることができる表示装置、表示装置の駆動方法、および電子機器を提供することにある。
【課題を解決するための手段】
【０００７】
本開示の第１の表示装置は、表示部と、駆動部とを備えている。表示部は、画素を有するものである。駆動部は、複数のサブ輝度情報を含む輝度情報に基づいて表示部を駆動するものである。上記駆動部は、各サブ輝度情報に対して設定される１または複数の表示期間において、各サブ輝度情報に基づいて画素を時分割的に駆動する。各表示期間の開始タイミングおよび表示期間の数の一方または双方は変更可能に構成されている。
【０００８】
本開示の第２の表示装置は、表示部と、発光部と、駆動部とを備えている。表示部は、画素を有するものである。駆動部は、複数のサブ輝度情報を含む輝度情報に基づいて表示部および発光部を駆動するものである。上記駆動部は、各サブ輝度情報に基づいて画素を時分割的に駆動するとともに、各サブ輝度情報に対して設定される１または複数の発光期間において発光部を駆動する。各発光期間の開始タイミングおよび発光期間の数の一方または双方が変更可能に構成されている。
【０００９】
本開示の表示装置の駆動方法は、輝度情報に含まれる複数のサブ輝度情報のそれぞれに対して１または複数の表示期間を設定することと、１または複数の表示期間において、各サブ輝度情報に基づいて画素を時分割的に駆動することとを含む。各表示期間の開始タイミングおよび表示期間の数の一方または双方は変更可能である。
【００１０】
本開示の電子機器は、上記表示装置を備えたものであり、例えば、テレビジョン装置、電子ブック、スマートフォン、デジタルカメラ、ノート型パーソナルコンピュータ、ビデオカメラ、ヘッドマウントディスプレイなどが該当する。
【００１１】
本開示の第１の表示装置、表示装置の駆動方法、および電子機器では、各サブ輝度情報に対して設定される１または複数の表示期間において、各サブ輝度情報に基づいて画素が時分割的に駆動される。各表示期間の開始タイミングおよび表示期間の数の一方または双方は変更可能に構成されている。
【００１２】
本開示の第２の表示装置では、各サブ輝度情報に基づいて画素が時分割的に駆動されるとともに、各サブ輝度情報に対して設定される１または複数の発光期間において、発光部が駆動される。各表示期間の開始タイミングおよび表示期間の数の一方または双方は変更可能に構成されている。
【発明の効果】
【００１３】
本開示の第１の表示装置、表示装置の駆動方法、および電子機器によれば、各表示期間の開始タイミングおよび表示期間の数の一方または双方を変更可能に構成したので、画質を高めることができる。
【００１４】
本開示の第２の表示装置によれば、各表示期間の開始タイミングおよび表示期間の数の一方または双方を変更可能に構成したので、画質を高めることができる。
【００１５】
なお、ここに記載された効果は必ずしも限定されるものではなく、本開示中に記載されたいずれの効果があってもよい。
【図面の簡単な説明】
【００１６】
【図１】本開示の実施の形態に係る表示装置の一構成例を表すブロック図である。
【図２Ａ】図１に示したサブフレーム生成部の一動作例を表す説明図である。
【図２Ｂ】図１に示したサブフレーム生成部の他の動作例を表す説明図である。
【図３】図１に示した表示装置の一動作例を表す説明図である。
【図４】図１に示した駆動部および表示部の一構成例を表すブロック図である。
【図５】図４に示したサブ画素の一構成例を表す回路図である。
【図６】図１に示した表示装置の一動作例を表すタイミング図である。
【図７】図４に示したサブ画素の一動作例を表すタイミング波形図である。
【図８】図１に示した表示装置の他の動作例を表すタイミング図である。
【図９】図１に示した表示装置に表示する動画を表す説明図である。
【図１０】図１に示した表示装置の一動作例を表す模式図である。
【図１１】図１に示した表示装置の他の動作例を表す模式図である。
【図１２】図１に示した表示装置の他の動作例を表すタイミング図である。
【図１３】図４に示したサブ画素の他の動作例を表すタイミング波形図である。
【図１４】図１に示した表示装置の他の動作例を表すタイミング図である。
【図１５】変形例に係る表示装置の一動作例を表すタイミング図である。
【図１６】他の変形例に係る表示装置の一動作例を表すタイミング図である。
【図１７】他の変形例に係る表示装置の一動作例を表す説明図である。
【図１８】他の変形例に係る表示装置の一動作例を表す説明図である。
【図１９】他の変形例に係る表示装置の一動作例を表すタイミング図である。
【図２０Ａ】他の変形例に係るサブフレーム生成部の一動作例を表す説明図である。
【図２０Ｂ】他の変形例に係るサブフレーム生成部の他の動作例を表す説明図である。
【図２０Ｃ】他の変形例に係るサブフレーム生成部の他の動作例を表す説明図である。
【図２１】他の変形例に係る表示装置の一動作例を表す説明図である。
【図２２】他の変形例に係る表示装置の一動作例を表すタイミング図である。
【図２３】他の変形例に係る表示装置の一動作例を表すタイミング図である。
【図２４】他の変形例に係る表示装置の一構成例を表すブロック図である。
【図２５】実施の形態に係る表示装置を実装したモジュールの一構成例を表す説明図である。
【図２６】実施の形態に係る表示装置の適用例の外観構成を表す斜視図である。
【図２７】他の変形例に係るサブ画素の一構成例を表す回路図である。
【図２８】他の変形例に係る表示装置の一構成例を表すブロック図である。
【発明を実施するための形態】
【００１７】
以下、本開示の実施の形態について、図面を参照して詳細に説明する。なお、説明は以下の順序で行う。
１．実施の形態
２．適用例
【００１８】
＜１．実施の形態＞
［構成例］
図１は、実施の形態に係る表示装置の一構成例を表すものである。表示装置１は、有機ＥＬ（Electro Luminescence）素子を用いた、アクティブマトリックス方式の表示装置である。なお、本開示の実施の形態に係る表示装置の駆動方法は、本実施の形態により具現化されるので、併せて説明する。
【００１９】
表示装置１は、画像信号Ｓpicに基づいて画像を表示するものである。画像信号Ｓpicは、垂直同期信号や水平同期信号などの各種同期信号と、赤色（Ｒ）の輝度情報ＩＲと、緑色（Ｇ）の輝度情報ＩＧと、青色（Ｂ）の輝度情報ＩＢとを含むものである。以下では、輝度情報ＩＲ，ＩＧ，ＩＢのいずれかを示すものとして、輝度情報Ｉを適宜用いるものとする。この画像信号Ｓpicは、この例では、線形なガンマ特性を有するものである。また、画像信号Ｓpicのフレームレートは、この例では６０Ｈｚである。
【００２０】
表示装置１は、サブフレーム生成部１１と、解析部１４と、基準条件設定部１５と、制御部１６と、補正部１２と、パネルガンマ変換部１３と、駆動部２０と、表示部３０とを備えている。
【００２１】
サブフレーム生成部１１は、画像信号Ｓpicが示すフレーム画像Ｆに基づいて、２つのサブフレーム画像ＦＳ１，ＦＳ２を生成するものである。具体的には、サブフレーム生成部１１は、以下に示すように、輝度情報Ｉの値がとりうる範囲（階調範囲）を、低階調範囲と高階調範囲とに分け、フレーム画像Ｆの各輝度情報Ｉの低階調範囲における輝度情報成分に基づいてサブフレーム画像ＦＳ１を生成するとともに、高階調範囲における輝度情報成分に基づいてサブフレーム画像ＦＳ２を生成する。そして、サブフレーム生成部１１は、それらのサブフレーム画像ＦＳ１，ＦＳ２を画像信号Ｓpic2として出力するようになっている。
【００２２】
図２Ａ，２Ｂは、サブフレーム生成部１１の一動作例を表すものであり、図２Ａは輝度情報Ｉの値がしきい値Ｉth以下である場合を示し、図２Ｂは輝度情報Ｉの値がしきい値Ｉthよりも大きい場合を示す。この例では、輝度情報Ｉの階調範囲は、しきい値Ｉthにより、２つの階調範囲（低階調範囲および高階調範囲）に分けられている。そして、サブフレーム生成部１１は、輝度情報Ｉの低階調範囲における輝度情報成分に基づいてサブ輝度情報ＩＳ１を生成し、高階調範囲における輝度情報成分に基づいてサブ輝度情報ＩＳ２を生成する。具体的には、図２Ａに示したように、輝度情報Ｉの値がしきい値Ｉth以下である場合には、サブフレーム生成部１１は、サブ輝度情報ＩＳ１の値を輝度情報Ｉと同じ値にするとともに、サブ輝度情報ＩＳ２の値を“０”（ゼロ）にする。また、図２Ｂに示したように、輝度情報Ｉの値がしきい値Ｉthより大きい場合には、サブフレーム生成部１１は、サブ輝度情報ＩＳ１の値をしきい値Ｉthと同じ値にするとともに、サブ輝度情報ＩＳ２の値を、輝度情報Ｉの値からしきい値Ｉthを差し引いた値にする。このようにして、サブフレーム生成部１１は、フレーム画像Ｆに含まれる各輝度情報Ｉに基づいてサブ輝度情報ＩＳ１，ＩＳ２を生成し、サブ輝度情報ＩＳ１に基づいてサブフレーム画像ＦＳ１を生成するとともに、サブ輝度情報ＩＳ２に基づいてサブフレーム画像ＦＳ２を生成するようになっている。
【００２３】
表示装置１は、このようにして生成したサブフレーム画像ＦＳ１，ＦＳ２を時分割的に表示することにより、表示部３０の表現性能を超える幅広いダイナミックレンジによる表示（いわゆるＨＤＲ表示）を実現するようになっている。
【００２４】
図３は、表示装置１における表示動作を模式的に表すものである。この図３は、最高輝度を示す輝度情報Ｉにより表示を行う例を示している。サブフレーム生成部１１は、上述したように、輝度情報Ｉに基づいてサブ輝度情報ＩＳ１，ＩＳ２を生成する。そして、表示装置１のサブ画素９（後述）は、サブ輝度情報ＩＳ１に応じた表示輝度Ｌ１で発光するとともに、サブ輝度情報ＩＳ２に応じた表示輝度Ｌ２で発光する。ここで、表示輝度Ｌ１，Ｌ２は、以下の式であらわされるものである。
Ｌ１＝ｋ×ＩＳ１×ＤＲ１  ・・・（１）
Ｌ２＝ｋ×ＩＳ２×ＤＲ２  ・・・（２）
ここで、ｋは定数であり、ＤＲ１，ＤＲ２は発光デューティ比である。ここで、発光デューティ比ＤＲ１は、サブ輝度情報ＩＳ１に係る発光期間の時間長をフレーム周期Ｔ０（後述）の時間長で割ったものであり、発光デューティ比ＤＲ２は、サブ輝度情報ＩＳ２に係る発光期間の時間長をフレーム周期Ｔ０の時間長で割ったものである。式（１），（２）に示したように、表示輝度Ｌ１はサブ輝度情報ＩＳ１に比例し、表示輝度Ｌ２はサブ輝度情報ＩＳ２に比例する。そして、その比例定数（ｋ×ＤＲ１），（ｋ×ＤＲ２）は、発光デューティ比ＤＲ１，ＤＲ２が互いに等しい場合には、互いに等しくなる。よって、この場合には、図３に示したように、サブ輝度情報ＩＳ１が変化したときの表示輝度Ｌ１の変化率と、サブ輝度情報ＩＳ２が変化したときの表示輝度Ｌ２の変化率とは、互いに等しい。表示装置１では、サブ画素９は、表示輝度Ｌ１による表示と、表示輝度Ｌ２による表示とを時分割的に行う。これにより、ユーザは、表示輝度Ｌ１と表示輝度Ｌ２との和を、そのサブ画素９の表示輝度として観察するようになっている。
【００２５】
解析部１４は、画像信号Ｓpicに基づいて、その画像信号Ｓpicが示す画像を解析するものである。具体的には、解析部１４は、例えば、その画像が動画もしくは静止画のいずれであるかを判定し、その画像が動画である場合には動き量に関する情報（例えば動き量の最大値や平均値など）を求める。また、解析部１４は、動画と静止画の両方が一画面内に同時に表示される場合には、静止画を表示する静止画領域の大きさや、フレーム画像Ｆの全領域における静止画領域の面積比率などを求める。なお、解析内容はこれに限定されるものではなく、例えば、画像信号Ｓpicに含まれる輝度情報Ｉの階調についての情報（例えば、階調の範囲など）をさらに求めてもよい。そして、解析部１４は、これらの情報を解析結果ＡＲとして制御部１６に供給するようになっている。
【００２６】
基準条件設定部１５は、例えば、表示装置１の周囲の明るさなどの環境条件や、ユーザ設定などに基づいて、表示装置１の動作の基準条件を設定するものである。具体的には、基準条件設定部１５は、例えば、表示装置１の周囲が明るい場合には表示画像を明るくし、周囲が暗い場合には表示画像を暗くするように、基準条件を設定する。また、基準条件設定部１５は、例えば、ユーザ設定に基づいて、表示画像を明るくしあるいは暗くするように、基準条件を設定する。そして、基準条件設定部１５は、その基準条件を基準条件情報ＩＣとして制御部１６に供給するようになっている。
【００２７】
制御部１６は、解析結果ＡＲおよび基準条件情報ＩＣに基づいて、補正部１２および駆動部２０を制御するものである。その際、制御部１６は、解析結果ＡＲに基づいて、複数の動作モード（この例では４つの動作モードＭ１〜Ｍ４）のうちの１つを選択する。動作モードＭ１〜Ｍ４は、後述するように、例えば、発光タイミングや発光デューティ比ＤＲ１，ＤＲ２が互いに異なるものである。そして、制御部１６は、その選択された動作モードに基づいて、制御信号ＣＴＬ２を介して、発光タイミングや発光デューティ比ＤＲ１，ＤＲ２を駆動部２０に指示する。また、制御部１６は、発光デューティ比ＤＲ１を変更する場合には、制御信号ＣＴＬ１を介して、表示輝度Ｌ１を維持するようにサブ輝度情報ＩＳ１を補正すべき旨を補正部１２に指示し、発光デューティ比ＤＲ２を変更する場合には、制御信号ＣＴＬ２を介して、表示輝度Ｌ２を維持するようにサブ輝度情報ＩＳ２を補正すべき旨を補正部１２に指示するようになっている。
【００２８】
補正部１２は、制御信号ＣＴＬ１に基づいて、画像信号Ｓpic2に含まれるサブ輝度情報ＩＳ１，ＩＳ２に対して補正を行うものである。具体的には、補正部１２は、発光デューティ比ＤＲ１を変更する場合に、表示輝度Ｌ１を維持するようにサブ輝度情報ＩＳ１を補正し、発光デューティ比ＤＲ２を変更する場合に、表示輝度Ｌ２を維持するようサブ輝度情報ＩＳ２を補正するものである。すなわち、補正部１２は、例えば、発光デューティ比ＤＲ１を大きくする場合には、サブ輝度情報ＩＳ１の値を小さい値に補正して表示輝度Ｌ１を維持し、発光デューティ比ＤＲ１を小さくする場合には、サブ輝度情報ＩＳ１の値を大きい値に補正して表示輝度Ｌ１を維持する。発光デューティ比ＤＲ２を変更する場合についても同様である。補正部１２は、このようにしてサブ輝度情報ＩＳ１，ＩＳ２を補正し、補正したサブ輝度情報ＩＳ１，ＩＳ２を画像信号Ｓpic3として出力するようになっている。
【００２９】
パネルガンマ変換部１３は、補正部１２から供給された線形なガンマ特性を有する画像信号Ｓpic3を、表示部３０の特性に対応した非線形なガンマ特性を有する画像信号Ｓpic4に変換（パネルガンマ変換）するものである。このパネルガンマ変換部１３は、例えばルックアップテーブルを有しており、このルックアップテーブルを用いてこのようなガンマ変換を行うようになっている。
【００３０】
駆動部２０は、画像信号Ｓpic4および制御信号ＣＴＬ２に基づいて、表示部３０を駆動するものである。表示部３０は、駆動部２０による駆動に基づいて画像を表示するものである。
【００３１】
図４は、駆動部２０および表示部３０の一構成例を表すものである。駆動部２０は、走査線駆動部２１と、電源線駆動部２２と、データ線駆動部２３とを有している。表示部３０は、複数の画素Ｐixがマトリックス状に配置されたものである。各画素Ｐixは、赤色（Ｒ）のサブ画素９Ｒ、緑色（Ｇ）のサブ画素９Ｇ、青色（Ｂ）のサブ画素９Ｂを有している。なお、以下では、サブ画素９Ｒ，９Ｇ，９Ｂのうちの任意の一つを表すものとしてサブ画素９を適宜用いる。表示部３０は、行方向（横方向）に延伸する複数の走査線ＷＳＬと、行方向に延伸する複数の電源線ＰＬと、列方向（縦方向）に延伸する複数のデータ線ＤＴＬとを有している。走査線ＷＳＬの一端は走査線駆動部２１に接続され、電源線ＰＬの一端は電源線駆動部２２に接続され、データ線ＤＴＬの一端はデータ線駆動部２３に接続されている。
【００３２】
図５は、サブ画素９の回路構成の一例を表すものである。サブ画素９は、書込トランジスタＷＳＴｒと、駆動トランジスタＤＲＴｒと、発光素子４９と、容量素子Ｃｓとを備えている。すなわち、この例では、サブ画素９は、２つのトランジスタ（書込トランジスタＷＳＴｒ、駆動トランジスタＤＲＴｒ）および１つの容量素子Ｃｓを用いて構成される、いわゆる「２Ｔｒ１Ｃ」の構成を有するものである。
【００３３】
書込トランジスタＷＳＴｒおよび駆動トランジスタＤＲＴｒは、例えば、ＮチャネルＭＯＳ（Metal Oxide Semiconductor）型のＴＦＴ（Thin Film Transistor；薄膜トランジスタ）により構成されるものである。書込トランジスタＷＳＴｒは、ゲートが走査線ＷＳＬに接続され、ソースがデータ線ＤＴＬに接続され、ドレインが駆動トランジスタＤＲＴｒのゲートおよび容量素子Ｃｓの一端に接続されている。駆動トランジスタＤＲＴｒは、ゲートが書込トランジスタＷＳＴｒのドレインおよび容量素子Ｃｓの一端に接続され、ドレインが電源線ＰＬに接続され、ソースが容量素子Ｃｓの他端および発光素子４９のアノードに接続されている。
【００３４】
容量素子Ｃｓは、一端が駆動トランジスタＤＲＴｒのゲート等に接続され、他端は駆動トランジスタＤＲＴｒのソース等に接続されている。発光素子４９は、有機ＥＬ素子を用いて構成された発光素子であり、アノードが駆動トランジスタＤＲＴｒのソースおよび容量素子Ｃｓの他端に接続され、カソードには、駆動部２０によりカソード電圧Ｖcathが供給されている。なお、この例では、有機ＥＬ素子を用いて発光素子４９を構成したが、これに限定されるものではなく、電流駆動型の発光素子であればどのようなものを用いてもよい。
【００３５】
この構成により、サブ画素９では、書込トランジスタＷＳＴｒがオン状態になることにより書込動作が行われ、容量素子Ｃｓの両端間に、画素電圧Ｖsig（後述）に応じた電位差が設定される。そして、駆動トランジスタＤＲＴｒが、この容量素子Ｃｓの両端間の電位差に応じた駆動電流を発光素子４９に流す。これにより、発光素子４９が画素電圧Ｖsigに応じた輝度で発光するようになっている。
【００３６】
走査線駆動部２１は、制御部１６から供給された制御信号ＣＴＬ２に従って、複数の走査線ＷＳＬに対して走査信号ＷＳを順次印加することによりサブ画素９を順次選択するものである。
【００３７】
電源線駆動部２２は、制御部１６から供給された制御信号ＣＴＬ２に従って、複数の電源線ＰＬに対して電源信号ＤＳを順次印加することにより、サブ画素９の発光動作および消光動作の制御を行うものである。電源信号ＤＳは、この例では３つの電圧Ｖccp，Ｖext，Ｖiniの間で遷移するものである。後述するように、電圧Ｖccpは、駆動トランジスタＤＲＴｒに電流を流して発光素子４９を発光させるための電圧であり、電圧Ｖext，Ｖiniよりも高い電圧である。電圧Ｖextは、発光素子４９を消光させるための電圧であり、電圧Ｖinitよりも高い電圧である。電圧Ｖiniは、サブ画素９を初期化するための電圧である。
【００３８】
データ線駆動部２３は、パネルガンマ変換部１３から供給された画像信号Ｓpic4および制御部１６から供給された制御信号ＣＴＬ２に従って信号Ｓigを生成し、各データ線ＤＴＬに印加するものである。データ線駆動部２３は、画像信号Ｓpic4に基づいて、各サブ画素９の発光輝度を指示する画素電圧Ｖsigを生成し、この画素電圧Ｖsigと、後述するＶth補正を行うための電圧Ｖofsと交互に配置することにより、信号Ｓigを生成するようになっている。
【００３９】
この構成により、駆動部２０は、後述するように、サブ画素９に対して初期化を行い、駆動トランジスタＤＲＴｒの素子ばらつきが画質に与える影響を抑えるための補正（Ｖth補正およびμ（移動度）補正）を行い、画素電圧Ｖsigの書込みを行うようになっている。
【００４０】
ここで、解析部１４、制御部１６、および駆動部２０は、本開示における「駆動部」の一具体例に対応する。サブフレーム生成部１１は、本開示における「信号生成部」の一具体例に対応する。サブ輝度情報ＩＳ１は、本開示における「第１のサブ輝度情報」の一具体例に対応し、サブ輝度情報ＩＳ２は、本開示における「第２のサブ輝度情報」の一具体例に対応する。
【００４１】
［動作および作用］
続いて、本実施の形態の表示装置１の動作および作用について説明する。
【００４２】
（全体動作概要）
まず、図１を参照して、表示装置１の全体動作概要を説明する。サブフレーム生成部１１は、画像信号Ｓpicが示すフレーム画像Ｆに基づいて、２つのサブフレーム画像ＦＳ１，ＦＳ２を生成し、画像信号Ｓpic2を生成する。解析部１４は、画像信号Ｓpicに基づいて、その画像信号Ｓpicが示す画像を解析し、その解析結果ＡＲを出力する。基準条件設定部１５は例えば、表示装置１の周囲の明るさなどの環境条件や、ユーザ設定などに基づいて、表示装置１の動作の基準条件を設定し、基準条件情報ＩＣとして出力する。制御部１６は、解析結果ＡＲおよび基準条件情報ＩＣに基づいて、制御信号ＣＴＬ１を介して補正部１２を制御するとともに、制御信号ＣＴＬ２を介して駆動部２０を制御する。補正部１２は、制御信号ＣＴＬ１に基づいて、画像信号Ｓpic2に含まれるサブ輝度情報ＩＳ１，ＩＳ２に対して補正を行い、画像信号Ｓpic3として出力する。パネルガンマ変換部１３は、線形なガンマ特性を有する画像信号Ｓpic3を、表示部３０の特性に対応した非線形なガンマ特性を有する画像信号Ｓpic4に変換する。駆動部２０は、画像信号pic4および制御信号ＣＴＬ２に基づいて、表示部３０を駆動する。表示部３０は、駆動部２０による駆動に基づいて画像を表示する。
【００４３】
表示装置１では、解析部１４が、画像信号Ｓpicに基づいて、その画像信号Ｓpicが示す画像を解析する。具体的には、解析部１４は、例えば、その画像が動画もしくは静止画のいずれであるかを判定し、その画像が動画である場合には動き量に関する情報（例えば動き量の最大値や平均値など）を求める。また、解析部１４は、動画と静止画の両方が一画面内に同時に表示される場合には、静止画を表示する静止画領域の大きさや、フレーム画像Ｆの全領域における静止画領域の面積比率などを求める。そして、制御部１６は、これらの解析結果ＡＲに基づいて、発光タイミングや発光デューティ比ＤＲ１，ＤＲ２が互いに異なる複数の動作モード（この例では４つの動作モードＭ１〜Ｍ４）のうちの１つを選択し、その選択された動作モードに基づいて、補正部１２および駆動部２０を制御する。以下に、これらの各動作モードＭ１〜Ｍ４における動作を詳細に説明する。
【００４４】
（動作モードＭ１）
動作モードＭ１は、画像信号Ｓpicが示す画像が静止画である場合に選択される動作モードである。以下に、この動作モードＭ１について詳細に説明する。
【００４５】
図６は、動作モードＭ１における表示装置１の動作のタイミング図を表すものであり、（Ａ）は画像信号Ｓpic4に含まれる垂直同期信号Ｖsyncの波形を示し、（Ｂ）は表示部３０の動作を示し、（Ｃ）は表示部３０の最上部の画素ラインに属するサブ画素９における発光輝度を表すものである。図６（Ｂ）において、“ＦＳ１”は、サブフレーム画像ＦＳ１の表示動作を示し、“ＦＳ２”は、サブフレーム画像ＦＳ２の表示動作を示す。
【００４６】
表示装置１は、フレーム周期Ｔ０に対応する期間内に、サブフレーム画像ＦＳ１およびサブフレーム画像ＦＳ２を時分割的に表示する。ここで、フレーム周期Ｔ０は、例えば約１６．７[msec]（＝１／６０[Hz]）である。すなわち、フレーム周期Ｔ０は、表示装置１に供給される画像信号Ｓpicが示すフレームレートの逆数に対応するものであり、表示装置１は、この期間内に２つのサブフレーム画像ＦＳ１，ＦＳ２を時分割的に表示する。そして、表示装置１は、フレーム周期Ｔ０ごとにこの表示動作を繰り返す。以下に、この詳細動作を説明する。
【００４７】
まず、タイミングｔ２１における垂直同期信号Ｖsyncのパルスに応じて、駆動部２０は、タイミングｔ２１〜ｔ２３の期間において、表示部３０の最上部から最下部に向かって線順次走査を行い、サブフレーム画像ＦＳ１に基づく表示駆動を順次開始する（図６（Ｂ））。次に、駆動部２０は、タイミングｔ２２〜ｔ２４の期間において、表示部３０の最上部から最下部に向かって線順次走査を行い、サブフレーム画像ＦＳ１に基づく表示駆動を順次終了する（図６（Ｂ））。表示部３０の最上部の画素ラインに属するサブ画素９は、タイミングｔ２１〜ｔ２２の期間（発光期間Ｐ４）において、サブフレーム画像ＦＳ１に係るサブ輝度情報ＩＳ１に応じた発光輝度で発光し、タイミングｔ２２〜ｔ２３の期間において消光する（図６（Ｃ））。この発光期間Ｐ４の長さは、発光デューティ比ＤＲ１に応じたものである。これにより、このサブ画素９は、サブ輝度情報ＩＳ１および発光デューティ比ＤＲ１に応じた表示輝度Ｌ１で発光する。
【００４８】
次に、タイミングｔ２３における垂直同期信号Ｖsyncのパルスに応じて、駆動部２０は、タイミングｔ２３〜ｔ２５の期間において、表示部３０の最上部から最下部に向かって線順次走査を行い、サブフレーム画像ＦＳ２に基づく表示駆動を順次開始する（図６（Ｂ））。次に、駆動部２０は、タイミングｔ２４〜ｔ２６の期間において、表示部３０の最上部から最下部に向かって線順次走査を行い、サブフレーム画像ＦＳ２に基づく表示駆動を順次終了する（図６（Ｂ））。表示部３０の最上部の画素ラインに属するサブ画素９は、タイミングｔ２３〜ｔ２４の期間（発光期間Ｐ４）において、サブフレーム画像ＦＳ２に係るサブ輝度情報ＩＳ２に応じた発光輝度で発光し、タイミングｔ２４〜ｔ２５の期間において消光する（図６（Ｃ））。この発光期間Ｐ４の長さは、発光デューティ比ＤＲ２に応じたものである。これにより、このサブ画素９は、サブ輝度情報ＩＳ２および発光デューティ比ＤＲ２に応じた表示輝度Ｌ２で発光する。
【００４９】
次に、サブ画素９の発光動作を詳細に説明する。
【００５０】
図７は、サブ画素９のタイミング図を表すものであり、（Ａ）は走査信号ＷＳの波形を示し、（Ｂ）は電源信号ＤＳの波形を示し、（Ｃ）は信号Ｓigの波形を示し、（Ｄ）は駆動トランジスタＤＲＴｒのゲート電圧Ｖｇの波形を示し、（Ｅ）は駆動トランジスタＤＲＴｒのソース電圧Ｖｓの波形を示す。図７（Ｂ）〜（Ｅ）では、同じ電圧軸を用いて各波形を示している。
【００５１】
駆動部２０は、１水平期間（１Ｈ）内において、サブ画素９の初期化を行い（初期化期間Ｐ１）、駆動トランジスタＤＲＴｒの素子ばらつきが画質に与える影響を抑えるためのＶth補正を行い（Ｖth補正期間Ｐ２）、サブ画素９に対して画素電圧Ｖsigの書込みを行うとともに、Ｖth補正とは異なるμ（移動度）補正を行う（書込・μ補正期間Ｐ３）。そして、その後に、サブ画素９の発光素子４９が、書き込まれた画素電圧Ｖsigに応じた輝度で発光する（発光期間Ｐ４）。以下に、その詳細を説明する。
【００５２】
まず、電源線駆動部２２は、初期化期間Ｐ１に先立ち、電源信号ＤＳを電圧Ｖiniに設定する（図７（Ｂ））。これにより、駆動トランジスタＤＲＴｒがオン状態になり、駆動トランジスタＤＲＴｒのソース電圧Ｖｓが、電圧Ｖiniに設定される（図７（Ｅ））。
【００５３】
次に、駆動部２０は、タイミングｔ２〜ｔ３の期間（初期化期間Ｐ１）において、サブ画素９を初期化する。具体的には、タイミングｔ２において、データ線駆動部２３が、信号Ｓigを電圧Ｖofsに設定し（図７（Ｃ））、走査線駆動部２１が、走査信号ＷＳの電圧を低レベルから高レベルに変化させる（図７（Ａ））。これにより、書込トランジスタＷＳＴｒがオン状態になり、駆動トランジスタＤＲＴｒのゲート電圧Ｖｇが電圧Ｖofsに設定される（図７（Ｄ））。このようにして、駆動トランジスタＤＲＴｒのゲート・ソース間電圧Ｖgs（＝Ｖofs−Ｖini）は、駆動トランジスタＤＲＴｒの閾値電圧Ｖthよりも大きい電圧に設定され、サブ画素９が初期化される。
【００５４】
次に、駆動部２０は、タイミングｔ３〜ｔ４の期間（Ｖth補正期間Ｐ２）において、Ｖth補正を行う。具体的には、電源線駆動部２２が、タイミングｔ３において、電源信号ＤＳを電圧Ｖiniから電圧Ｖccpに変化させる（図７（Ｂ））。これにより、駆動トランジスタＤＲＴｒは飽和領域で動作するようになり、ドレインからソースに電流Ｉdsが流れ、ソース電圧Ｖｓが上昇する（図７（Ｅ））。その際、この例では、ソース電圧Ｖｓは発光素子４９のカソードの電圧Ｖcathよりも低いため、発光素子４９は逆バイアス状態を維持し、発光素子４９には電流は流れない。このようにソース電圧Ｖｓが上昇することにより、ゲート・ソース間電圧Ｖgsが低下するため、電流Ｉdsは低下する。この負帰還動作により、電流Ｉdsは“０”（ゼロ）に向かって収束していく。言い換えれば、駆動トランジスタＤＲＴｒのゲート・ソース間電圧Ｖgsは、駆動トランジスタＤＲＴｒの閾値電圧Ｖthと等しくなる（Ｖgs＝Ｖth）ように収束していく。
【００５５】
次に、走査線駆動部２１は、タイミングｔ４において、走査信号ＷＳの電圧を高レベルから低レベルに変化させる（図７（Ａ））。これにより、書込トランジスタＷＳＴｒはオフ状態になる。そして、データ線駆動部２３は、タイミングｔ５において、信号Ｓigを画素電圧Ｖsigに設定する（図７（Ｃ））。
【００５６】
次に、駆動部２０は、タイミングｔ６〜ｔ７の期間（書込・μ補正期間Ｐ３）において、サブ画素９に対して画素電圧Ｖsigの書込みを行うとともにμ補正を行う。具体的には、走査線駆動部２１が、タイミングｔ６において、走査信号ＷＳの電圧を低レベルから高レベルに変化させる（図７（Ａ））。これにより、書込トランジスタＷＳＴｒはオン状態になり、駆動トランジスタＤＲＴｒのゲート電圧Ｖｇが、電圧Ｖofsから画素電圧Ｖsigに上昇する（図７（Ｄ））。このとき、駆動トランジスタＤＲＴｒのゲート・ソース間電圧Ｖgsが閾値電圧Ｖthより大きくなり（Ｖgs＞Ｖth）、ドレインからソースへ電流Ｉdsが流れるため、駆動トランジスタＤＲＴｒのソース電圧Ｖｓが上昇する（図７（Ｅ））。このような負帰還動作により、駆動トランジスタＤＲＴｒの素子ばらつきの影響が抑えられ（μ補正）、駆動トランジスタＤＲＴｒのゲート・ソース間電圧Ｖgsは、画素電圧Ｖsigに応じた電圧Ｖemiに設定される。なお、このようなμ補正の方法については、例えば、特開２００６−２１５２１３に記載がある。
【００５７】
次に、駆動部２０は、タイミングｔ７以降の期間（発光期間Ｐ４）において、サブ画素９を発光させる。具体的には、タイミングｔ７において、走査線駆動部２１は、走査信号ＷＳの電圧を高レベルから低レベルに変化させる（図７（Ａ））。これにより、書込トランジスタＷＳＴｒがオフ状態になり、駆動トランジスタＤＲＴｒのゲートがフローティングとなるため、これ以後、容量素子Ｃｓの端子間電圧、すなわち、駆動トランジスタＤＲＴｒのゲート・ソース間電圧Ｖgsは維持される。そして、駆動トランジスタＤＲＴｒに電流Ｉdsが流れるにつれ、駆動トランジスタＤＲＴｒのソース電圧Ｖｓが上昇し（図７（Ｅ））、これに伴って駆動トランジスタＤＲＴｒのゲート電圧Ｖｇも上昇する（図７（Ｄ））。そして、駆動トランジスタＤＲＴｒのソース電圧Ｖｓが、発光素子４９の閾値電圧Ｖelと電圧Ｖcathの和（Ｖel＋Ｖcath）よりも大きくなると、発光素子４９のアノード・カソード間に電流が流れ、発光素子４９が発光する。すなわち、発光素子４９の素子ばらつきに応じた分だけソース電圧Ｖｓが上昇し、発光素子４９が発光する。
【００５８】
その後、駆動部２０は、発光デューティ比ＤＲ１，ＤＲ２に対応する期間が経過した後に、電源信号ＤＳを電圧Ｖccpから電圧Ｖiniに変化させ、発光期間Ｐ４が終了する。
【００５９】
（動作モードＭ２）
動作モードＭ２は、画像信号Ｓpicが示す画像が動画である場合に選択される動作モードである。以下に、この動作モードＭ２について詳細に説明する。
【００６０】
図８は、動作モードＭ２における表示装置１の動作のタイミング図を表すものであり、（Ａ）は画像信号Ｓpic4に含まれる垂直同期信号Ｖsyncの波形を示し、（Ｂ）は表示部３０の動作を示し、（Ｃ）は表示部３０の最上部の画素ラインに属するサブ画素９における発光輝度を表すものである。
【００６１】
表示装置１は、動作モードＭ２において、動作モードＭ１と同様に、フレーム周期Ｔ０に対応する期間内に、サブフレーム画像ＦＳ１およびサブフレーム画像ＦＳ２を時分割的に表示する。その際、制御部１６は、この動作モードＭ２において、サブフレーム画像ＦＳ１に係る発光期間Ｐ４を遅らせる。以下に、この詳細動作を説明する。
【００６２】
まず、タイミングｔ３１における垂直同期信号Ｖsyncのパルスに応じて、駆動部２０は、タイミングｔ３２〜ｔ３４の期間において、サブフレーム画像ＦＳ１に基づく表示駆動を順次開始し、タイミングｔ３３〜ｔ３５の期間において、サブフレーム画像ＦＳ１に基づく表示駆動を順次終了する（図８（Ｂ））。表示部３０の最上部の画素ラインに属するサブ画素９は、タイミングｔ３１〜ｔ３２の期間において消光し、タイミングｔ３２〜ｔ３３の期間（発光期間Ｐ４）において、サブフレーム画像ＦＳ１に係るサブ輝度情報ＩＳ１に応じた発光輝度で発光する（図８（Ｃ））。その際、表示装置１では、タイミングｔ３２〜ｔ３３の期間の時間長を、動作モードＭ１（図６）におけるタイミングｔ２１〜ｔ２２の期間の時間長と等しくすることにより、表示輝度Ｌ１を維持している。なお、これに限定されるものではなく、例えば、発光期間Ｐ４の長さ（発光デューティ比ＤＲ１）を変更するとともにサブ輝度情報ＩＳ１を補正することにより、表示輝度Ｌ１を維持してもよい。
【００６３】
次に、タイミングｔ３３における垂直同期信号Ｖsyncのパルスに応じて、駆動部２０は、タイミングｔ３３〜ｔ３５の期間において、サブフレーム画像ＦＳ２に基づく表示駆動を順次開始し、タイミングｔ３４〜ｔ３６の期間において、サブフレーム画像ＦＳ２に基づく表示駆動を順次終了する（図８（Ｂ））。表示部３０の最上部の画素ラインに属するサブ画素９は、タイミングｔ３３〜ｔ３４の期間（発光期間Ｐ４）において、サブフレーム画像ＦＳ２に係るサブ輝度情報ＩＳ２に応じた発光輝度で発光し、タイミングｔ３４〜ｔ３５の期間において消光する（図８（Ｃ））。
【００６４】
なお、サブ画素９は、サブフレーム画像ＦＳ１に係る発光期間Ｐ４において発光を終了した後に、図７で示したように、初期化、Ｖth補正、画素電圧Ｖsigの書込みおよびμ補正を行い、次のサブフレーム画像ＦＳ２に係る発光期間Ｐ４において発光を開始する。しかしながら、この初期化、Ｖth補正、画素電圧Ｖsigの書込みおよびμ補正を行う期間の時間長は、フレーム周期Ｔ０の時間長に比べて十分に短いものであるため、図８（Ｃ）では、これらの期間を省いて描いている。
【００６５】
このようにして、表示装置１は、サブフレーム画像ＦＳ１およびサブフレーム画像ＦＳ２を時分割的に交互に表示する。その際、動作モードＭ２では、制御部１６は、サブフレーム画像ＦＳ１に係る発光期間Ｐ４を遅らせ、その次のサブフレーム画像ＦＳ２に係る発光期間Ｐ４と隣り合わせる。言い換えれば、表示装置１では、サブフレーム画像ＦＳ１に係る発光期間Ｐ４の中心タイミングと、サブフレーム画像ＦＳ２に係る発光期間Ｐ４の中心タイミングとの間の時間長を、フレーム周期Ｔ０の時間長の半分よりも短くしている。これにより、以下に示すように、動画を表示する際の画像のぼけや２重像を低減することができる。
【００６６】
図９は、動画の一例を表すものである。この例では、フレーム画像Ｆ内において、幅Ｗを有する表示物Ａが水平方向に移動している。ユーザは、このように移動する表示物Ａを観察する場合には、なめらかに追従しながら観察しようとする。
【００６７】
図１０，１１は、図９に示した動画の表示動作を模式的に表すものであり、図１０は、動作モードＭ１の場合を示し、図１１は、動作モードＭ２の場合を示す。図１０，１１において、横軸は、表示部３０における表示画面内の座標を示し、縦軸は時間を示す。網掛け部分は、表示物Ａに係る発光を示している。
【００６８】
動作モードＭ１では、サブ画素９は、図６（Ｃ）に示したように、フレーム画像Ｆに基づいて、２つの離間した発光期間Ｐ４（タイミングｔ２１〜ｔ２２の期間、およびタイミングｔ２３〜ｔ２４の期間）において、サブフレーム画像ＦＳ１に係る発光とサブフレーム画像ＦＳ２に係る発光とをそれぞれ行う。このとき、サブフレーム画像ＦＳ１，ＦＳ２は、同じフレーム画像Ｆにより生成されるため、図１０に示したように、表示物Ａの表示位置は同じである。このような場合において、ユーザが、表示物Ａをなめらかに追従しながら観察しようとすると、図１０の右下に示したように、表示物Ａの幅は、実際の幅Ｗよりも広い幅Ｗ１として観察される。この場合には、ユーザは、例えば、表示物Ａのエッジがぼけたように感じ、あるいは表示物Ａが２重に見えたりするおそれがある。
【００６９】
一方、動作モードＭ２では、サブ画素９は、図８（Ｃ）に示したように、フレーム画像Ｆに基づいて、２つの隣り合った発光期間Ｐ４（タイミングｔ３２〜ｔ３３の期間、およびタイミングｔ３３〜ｔ３４の期間）において、サブフレーム画像ＦＳ１に係る発光とサブフレーム画像ＦＳ２に係る発光とをそれぞれ行う。動作モードＭ２では、このように２つの発光期間Ｐ４が近いため、図１１の右下に示したように、表示物Ａの幅は、幅Ｗ１よりやや狭い幅Ｗ２として観察される。このように、動作モードＭ２では、動画を表示する場合における画像のぼけや２重像を低減することができる。
【００７０】
（動作モードＭ３）
動作モードＭ３は、動画と静止画の両方が一画面内に同時に表示される場合において、静止画領域の面積比率がフレーム画像Ｆの全領域の５０％程度である場合に選択される動作モードである。以下に、この動作モードＭ３について詳細に説明する。
【００７１】
図１２は、動作モードＭ３における表示装置１の動作のタイミング図を表すものであり、（Ａ）は画像信号Ｓpic4に含まれる垂直同期信号Ｖsyncの波形を示し、（Ｂ）は表示部３０の動作を示し、（Ｃ）は表示部３０の最上部の画素ラインに属するサブ画素９における発光輝度を表すものである。
【００７２】
表示装置１は、動作モードＭ３において、サブフレーム画像ＦＳ１に係る発光期間Ｐ４を２つに分けるとともに、サブフレーム画像ＦＳ２に係る発光期間Ｐ４を２つに分け、サブフレーム画像ＦＳ１，ＦＳ２を表示する。以下に、この詳細動作を説明する。
【００７３】
まず、タイミングｔ４１における垂直同期信号Ｖsyncのパルスに応じて、駆動部２０は、タイミングｔ４１からはじまる所定期間において、サブフレーム画像ＦＳ１に基づく１回目の表示駆動を順次開始し、タイミングｔ４２からはじまる所定期間において、サブフレーム画像ＦＳ１に基づく１回目の表示駆動を順次終了する（図１２（Ｂ））。次に、駆動部２０は、タイミングｔ４３からはじまる所定期間において、サブフレーム画像ＦＳ１に基づく２回目の表示駆動を順次開始し、タイミングｔ４４からはじまる所定期間において、サブフレーム画像ＦＳ１に基づく２回目の表示駆動を順次終了する。表示部３０の最上部の画素ラインに属するサブ画素９は、タイミングｔ４１〜ｔ４２の期間およびタイミングｔ４３〜ｔ４４の期間において、サブフレーム画像ＦＳ１に係るサブ輝度情報ＩＳ１に応じた発光輝度で発光し、タイミングｔ４２〜ｔ４３の期間において消光する（図１２（Ｃ））。この２つの発光期間Ｐ４の合計時間長は、発光デューティ比ＤＲ１に応じたものである。その際、表示装置１では、２つの発光期間Ｐ４の合計時間長を、動作モードＭ１（図６）におけるタイミングｔ２１〜ｔ２２の期間の時間長と等しくすることにより、表示輝度Ｌ１を維持している。なお、これに限定されるものではなく、例えば、２つの発光期間Ｐ４の合計時間長を変更するとともにサブ輝度情報ＩＳ１を補正することにより、表示輝度Ｌ１を維持してもよい。
【００７４】
次に、タイミングｔ４４における垂直同期信号Ｖsyncのパルスに応じて、駆動部２０は、タイミングｔ４４からはじまる所定期間において、サブフレーム画像ＦＳ２に基づく１回目の表示駆動を順次開始し、タイミングｔ４５からはじまる所定期間において、サブフレーム画像ＦＳ２に基づく１回目の表示駆動を順次終了する（図１２（Ｂ））。次に、駆動部２０は、タイミングｔ４６からはじまる所定期間において、サブフレーム画像ＦＳ２に基づく２回目の表示駆動を順次開始し、タイミングｔ４７からはじまる所定期間において、サブフレーム画像ＦＳ２に基づく２回目の表示駆動を順次終了する。表示部３０の最上部の画素ラインに属するサブ画素９は、タイミングｔ４４〜ｔ４５の期間およびタイミングｔ４６〜ｔ４７の期間において、サブフレーム画像ＦＳ２に係るサブ輝度情報ＩＳ２に応じた発光輝度で発光し、タイミングｔ４５〜ｔ４６の期間において消光する（図１２（Ｃ））。この２つの発光期間Ｐ４の合計時間長は、発光デューティ比ＤＲ２に応じたものである。その際、表示装置１では、２つの発光期間Ｐ４の合計時間長を、動作モードＭ１（図６）におけるタイミングｔ２３〜ｔ２４の期間の時間長と等しくすることにより、表示輝度Ｌ２を維持している。なお、これに限定されるものではなく、例えば、２つの発光期間Ｐ４の合計時間長を変更するとともにサブ輝度情報ＩＳ２を補正することにより、表示輝度Ｌ２を維持してもよい。
【００７５】
このように、駆動部２０は、サブフレーム画像ＦＳ１に基づく表示駆動を２回行い、その後に、サブフレーム画像ＦＳ２に基づく表示駆動を２回行う。その際、サブフレーム画像ＦＳ１に基づく２回目の表示駆動、およびサブフレーム画像ＦＳ２に基づく２回目の表示駆動では、以下に示すように、初期化、Ｖth補正、画素電圧Ｖsigの書込みおよびμ補正を行わずにサブ画素９を発光させることができる。
【００７６】
図１３は、２回目の表示駆動におけるサブ画素９のタイミング図を表すものであり、（Ａ）は走査信号ＷＳの波形を示し、（Ｂ）は電源信号ＤＳの波形を示し、（Ｃ）は信号Ｓigの波形を示し、（Ｄ）は駆動トランジスタＤＲＴｒのゲート電圧Ｖｇの波形を示し、（Ｅ）は駆動トランジスタＤＲＴｒのソース電圧Ｖｓの波形を示す。
【００７７】
２回目の表示駆動では、走査信号ＷＳの電圧は常に低レベルである。これにより、書込トランジスタＷＳＴｒはオフ状態を維持するため、駆動トランジスタＤＲＴｒのゲート・ソース間電圧Ｖgsは、１回目の表示駆動における書込・μ補正期間Ｐ３で設定された電圧Ｖemiを維持する。
【００７８】
まず、電源線駆動部２２は、１回目の表示駆動を終了させる際に、電源信号ＤＳを電圧extに設定する（図１３（Ｂ））。これにより、駆動トランジスタＤＲＴｒがオン状態になり、駆動トランジスタＤＲＴｒのソース電圧Ｖｓが、電圧Ｖextに設定される（図１３（Ｅ））。
【００７９】
そして、駆動部２０は、タイミングｔ１３以降の期間（発光期間Ｐ４）において、サブ画素９を発光させる。具体的には、電源線駆動部２２が、タイミングｔ１３において、電源信号ＤＳを電圧Ｖextから電圧Ｖccpに変化させる（図１３（Ｂ））。これにより、駆動トランジスタＤＲＴｒは飽和領域で動作するようになり、ドレインからソースに電流Ｉdsが流れ、駆動トランジスタＤＲＴｒのソース電圧Ｖｓが上昇し（図１３（Ｅ））、これに伴って駆動トランジスタＤＲＴｒのゲート電圧Ｖｇも上昇する（図１３（Ｄ））。そして、駆動トランジスタＤＲＴｒのソース電圧Ｖｓが、発光素子４９の閾値電圧Ｖelと電圧Ｖcathの和（Ｖel＋Ｖcath）よりも大きくなると、発光素子４９のアノード・カソード間に電流が流れ、発光素子４９が発光する。すなわち、発光素子４９の素子ばらつきに応じた分だけソース電圧Ｖｓが上昇し、発光素子４９が発光する。
【００８０】
その後、駆動部２０は、所定期間が経過した後に、電源信号ＤＳを電圧Ｖccpから電圧Ｖiniに変化させ、発光期間Ｐ４が終了する。
【００８１】
動作モードＭ３では、制御部１６は、サブフレーム画像ＦＳ１に係る発光期間Ｐ４を２つに分けるとともに、サブフレーム画像ＦＳ２に係る発光期間Ｐ４を２つに分ける。その際、制御部１６は、図１２（Ｃ）に示したように、サブフレーム画像ＦＳ１に係る２回目の発光期間Ｐ４と、その次のサブフレーム画像ＦＳ２に係る１回目の発光期間Ｐ４とを隣り合わせるとともに、サブフレーム画像ＦＳ２に係る２回目の発光期間Ｐ４と、その次のサブフレーム画像ＦＳ１に係る１回目の発光期間Ｐ４とを隣り合わせる。言い換えれば、表示装置１では、サブフレーム画像ＦＳ１に係る２回目の発光期間Ｐ４の中心タイミングと、その次のサブフレーム画像ＦＳ２に係る１回目の発光期間Ｐ４の中心タイミングとの間の時間長を、フレーム周期Ｔ０の時間長の半分よりも短くし、サブフレーム画像ＦＳ２に係る２回目の発光期間Ｐ４の中心タイミングと、その次のサブフレーム画像ＦＳ１に係る１回目の発光期間Ｐ４の中心タイミングとの間の時間長を、フレーム周期Ｔ０の時間長の半分よりも短くしている。これにより、表示装置１では、画面内の動画部分において、動作モードＭ２の場合と同様に画像のぼけや２重像を低減することができるとともに、静止画部分において、画像のちらつき（フリッカ）を改善することができる。
【００８２】
すなわち、例えば、動画と静止画の両方が一画面内に同時に表示される場合において、動作モードＭ２を選択した場合には、画面内の動画部分において画像のぼけ等を低減することができるが、静止画部分においてフリッカが生じるおそれがある。つまり、この動作モードＭ２では、図８に示したように、サブフレーム画像ＦＳ１に係る発光期間Ｐ４とサブフレームＦＳ２に係る発光期間Ｐ４とを隣り合わせるため、サブフレームＦＳ１に係る発光期間Ｐ４と、その前のサブフレーム画像ＦＳ２に係る発光期間Ｐ４との間の消光期間が長くなってしまう。その結果、特に画面内の静止画部分において、ユーザがフリッカを感じるおそれがある。
【００８３】
一方、動作モードＭ３では、サブフレーム画像ＦＳ１に係る発光期間Ｐ４を２つに分けるとともに、サブフレーム画像ＦＳ２に係る発光期間Ｐ４を２つに分け、サブフレームＦＳ１に係る１回目の発光期間Ｐ４と、その前のサブフレーム画像ＦＳ２に係る２回目の発光期間Ｐ４とを隣り合わせるようにした。これにより、消光期間を、サブフレーム画像ＦＳ１に係る１回目の発光期間Ｐ４と２回目の発光期間Ｐ４の間の期間、およびサブフレーム画像ＦＳ２に係る１回目の発光期間Ｐ４と２回目の発光期間Ｐ４の間の期間とに分割することができ、各消光期間の長さを短くすることができる。その結果、特に画面内の静止画部分において、ユーザがフリッカを感じるおそれを低減することができる。
【００８４】
（動作モードＭ４）
動作モードＭ４は、動画と静止画の両方が一画面内に同時に表示される場合において、静止画領域の面積比率がフレーム画像Ｆの全領域の例えば８０％程度以上である場合に選択される動作モードである。以下に、この動作モードＭ４について詳細に説明する。
【００８５】
図１４は、動作モードＭ４における表示装置１の動作のタイミング図を表すものであり、（Ａ）は画像信号Ｓpic4に含まれる垂直同期信号Ｖsyncの波形を示し、（Ｂ）は表示部３０の動作を示し、（Ｃ）は表示部３０の最上部の画素ラインに属するサブ画素９における発光輝度を表すものである。
【００８６】
表示装置１は、動作モードＭ４において、サブフレーム画像ＦＳ１に係る発光期間Ｐ４を３つに分けるとともに、サブフレーム画像ＦＳ２に係る発光期間Ｐ４を３つに分け、サブフレーム画像ＦＳ１，ＦＳ２を表示する。以下に、この詳細動作を説明する。
【００８７】
まず、タイミングｔ５１における垂直同期信号Ｖsyncのパルスに応じて、駆動部２０は、タイミングｔ５１からはじまる所定期間において、サブフレーム画像ＦＳ１に基づく１回目の表示駆動を順次開始し、タイミングｔ５２からはじまる所定期間において、サブフレーム画像ＦＳ１に基づく１回目の表示駆動を順次終了する（図１４（Ｂ））。次に、駆動部２０は、タイミングｔ５３からはじまる所定期間において、サブフレーム画像ＦＳ１に基づく２回目の表示駆動を順次開始し、タイミングｔ５４からはじまる所定期間において、サブフレーム画像ＦＳ１に基づく２回目の表示駆動を順次終了する。次に、駆動部２０は、タイミングｔ５５からはじまる所定期間において、サブフレーム画像ＦＳ１に基づく３回目の表示駆動を順次開始し、タイミングｔ５６からはじまる所定期間において、サブフレーム画像ＦＳ１に基づく３回目の表示駆動を順次終了する。表示部３０の最上部の画素ラインに属するサブ画素９は、タイミングｔ５１〜ｔ５２の期間、タイミングｔ５３〜ｔ５４の期間、およびタイミングｔ５５〜ｔ５６の期間において、サブフレーム画像ＦＳ１に係るサブ輝度情報ＩＳ１に応じた発光輝度で発光し、タイミングｔ５２〜ｔ５３の期間およびタイミングｔ５４〜ｔ５５の期間において消光する（図１４（Ｃ））。この３つの発光期間Ｐ４の合計時間長は、発光デューティ比ＤＲ１に応じたものである。その際、表示装置１では、３つの発光期間Ｐ４の合計時間長を、動作モードＭ１（図６）におけるタイミングｔ２１〜ｔ２２の期間の時間長と等しくすることにより、表示輝度Ｌ１を維持している。なお、これに限定されるものではなく、例えば、３つの発光期間Ｐ４の合計時間長を変更するとともにサブ輝度情報ＩＳ１を補正することにより、表示輝度Ｌ１を維持してもよい。
【００８８】
次に、タイミングｔ５６における垂直同期信号Ｖsyncのパルスに応じて、駆動部２０は、タイミングｔ５６からはじまる所定期間において、サブフレーム画像ＦＳ２に基づく１回目の表示駆動を順次開始し、タイミングｔ５７からはじまる所定期間において、サブフレーム画像ＦＳ２に基づく１回目の表示駆動を順次終了する（図１４（Ｂ））。次に、駆動部２０は、タイミングｔ５８からはじまる所定期間において、サブフレーム画像ＦＳ２に基づく２回目の表示駆動を順次開始し、タイミングｔ５９からはじまる所定期間において、サブフレーム画像ＦＳ２に基づく２回目の表示駆動を順次終了する。次に、駆動部２０は、タイミングｔ６０からはじまる所定期間において、サブフレーム画像ＦＳ２に基づく３回目の表示駆動を順次開始し、タイミングｔ６１からはじまる所定期間において、サブフレーム画像ＦＳ２に基づく３回目の表示駆動を順次終了する。表示部３０の最上部の画素ラインに属するサブ画素９は、タイミングｔ５６〜ｔ５７の期間、タイミングｔ５８〜ｔ５９の期間、およびタイミングｔ６０〜ｔ６１の期間において、サブフレーム画像ＦＳ２に係るサブ輝度情報ＩＳ２に応じた発光輝度で発光し、タイミングｔ５７〜ｔ５８の期間およびタイミングｔ５９〜ｔ６０の期間において消光する（図１４（Ｃ））。この３つの発光期間Ｐ４の合計時間長は、発光デューティ比ＤＲ２に応じたものである。その際、表示装置１では、３つの発光期間Ｐ４の合計時間長を、動作モードＭ１（図６）におけるタイミングｔ２３〜ｔ２４の期間の時間長と等しくすることにより、表示輝度Ｌ２を維持している。なお、これに限定されるものではなく、例えば、３つの発光期間Ｐ４の合計時間長を変更するとともにサブ輝度情報ＩＳ２を補正することにより、表示輝度Ｌ２を維持してもよい。
【００８９】
動作モードＭ４では、制御部１６は、サブフレーム画像ＦＳ１に係る発光期間Ｐ４を３つに分けるとともに、サブフレーム画像ＦＳ２に係る発光期間Ｐ４を３つに分ける。その際、制御部１６は、図１４（Ｃ）に示したように、サブフレーム画像ＦＳ１に係る３回目の発光期間Ｐ４と、その次のサブフレーム画像ＦＳ２に係る１回目の発光期間Ｐ４とを隣り合わせるとともに、サブフレーム画像ＦＳ２に係る３回目の発光期間Ｐ４と、その次のサブフレーム画像ＦＳ１に係る１回目の発光期間Ｐ４とを隣り合わせる。また、制御部１６は、サブフレーム画像ＦＳ１に係る２回目の発光期間Ｐ４を、サブフレーム画像ＦＳ１に係る１回目の発光期間Ｐ４と３回目の発光期間Ｐ４との間に配置し、サブフレーム画像ＦＳ２に係る２回目の発光期間Ｐ４を、サブフレーム画像ＦＳ２に係る１回目の発光期間Ｐ４と３回目の発光期間Ｐ４との間に配置する。これにより、表示装置１では、動画モードＭ３の場合に比べて、各消光期間の長さをさらに短くすることができるため、特に画面内の静止画部分において、フリッカを改善することができる。
【００９０】
［効果］
以上のように本実施の形態では、画像を解析し、その解析結果に基づいて、発光タイミングや発光デューティ比を変更するようにしたので、その画像の特徴に適した発光タイミングなどを設定することができ、画質を高めることができる。
【００９１】
本実施の形態では、動作モードＭ２において、１つのフレーム画像から生成される２つのサブフレーム画像に係る発光期間を互いに隣り合わせるようにしたので、動画を表示する場合における画像のぼけや２重像を低減することができる。
【００９２】
本実施の形態では、動作モードＭ３，Ｍ４において、２つのサブフレーム画像に係る発光期間をそれぞれ複数に分けるようにしたので、各消光期間の長さを短くすることができ、特に画面内の静止画部分においてフリッカを改善することができる。
【００９３】
［変形例１］
上記実施の形態では、動作モードＭ２において、図８に示したように、サブフレーム画像ＦＳ１に係る発光期間Ｐ４を、その次のサブフレーム画像ＦＳ２に係る発光期間Ｐ４と隣り合わせるようにしたが、これに限定されるものではない。例えば、サブフレーム画像ＦＳ１に係る発光期間Ｐ４の中心タイミングと、サブフレーム画像ＦＳ２に係る発光期間Ｐ４の中心タイミングとの間の時間長を、フレーム周期Ｔ０の時間長の半分よりも短くすることができるような様々な動作が可能である。具体的には、例えば、図１５に示すように、サブフレーム画像ＦＳ１に係る発光期間Ｐ４と、サブフレーム画像ＦＳ２に係る発光期間Ｐ４との間に、所定の長さの消光期間を挿入してもよい。
【００９４】
［変形例２］
上記実施の形態では、サブフレーム画像ＦＳ１に係る発光期間Ｐ４の長さ（発光デューティ比ＤＲ１）と、サブフレーム画像ＦＳ２に係る発光期間Ｐ４の長さ（発光デューティ比ＤＲ２）とを等しくしたが、これに限定されるものではなく、これに代えて、サブフレーム画像ＦＳ１に係る発光期間Ｐ４の長さと、サブフレーム画像ＦＳ２に係る発光期間Ｐ４の長さとが異なるようにしてもよい。動作モードＭ２において、サブフレーム画像ＦＳ１に係る発光期間Ｐ４の長さを、サブフレーム画像ＦＳ２に係る発光期間Ｐ４の長さよりも長くした場合の例を図１６に示す。この場合には、図１７に示すように、サブ輝度情報ＩＳ１が変化したときの表示輝度Ｌ１の変化率が、サブ輝度情報ＩＳ２が変化したときの表示輝度Ｌ２の変化率よりも大きくなる。一方、サブフレーム画像ＦＳ１に係る発光期間Ｐ４の長さを、サブフレーム画像ＦＳ２に係る発光期間Ｐ４の長さよりも短くした場合には、図１８に示すように、サブ輝度情報ＩＳ１が変化したときの表示輝度Ｌ１の変化率が、サブ輝度情報ＩＳ２が変化したときの表示輝度Ｌ２の変化率よりも小さくなる。
【００９５】
［変形例３］
上記実施の形態では、動作モードＭ３において、図１２に示したように、サブフレーム画像ＦＳ１に係る２回目の発光期間Ｐ４の時間長を、サブフレーム画像ＦＳ１に係る１回目の発光期間Ｐ４の時間長よりも長くするとともに、サブフレーム画像ＦＳ２に係る１回目の発光期間Ｐ４の時間長を、サブフレーム画像ＦＳ２に係る２回目の発光期間Ｐ４の時間長よりも長くしたが、これに限定されるものではない。これに代えて、例えば、図１９に示すように、サブフレーム画像ＦＳ１に係る２回目の発光期間Ｐ４の時間長を、サブフレーム画像ＦＳ１に係る１回目の発光期間Ｐ４の時間長よりも短くするとともに、サブフレーム画像ＦＳ２に係る１回目の発光期間Ｐ４の時間長を、サブフレーム画像ＦＳ２に係る２回目の発光期間Ｐ４の時間長よりも短くしてもよい。図１２に示すように構成することにより、例えば、画面内の動画部分において、画像のぼけ等をより低減することができ、一方、図１９に示すように構成することにより、例えば、画面内の静止画部分において、フリッカをより改善することができる。また、例えば、これらのすべての発光期間Ｐ４を互いに等しい時間長にしてもよい。
【００９６】
［変形例４］
上記実施の形態では、サブフレーム生成部１１は、画像信号Ｓpicが示すフレーム画像Ｆに基づいて、２つのサブフレーム画像ＦＳ１，ＦＳ２を生成したが、これに限定されるものではなく、これに代えて、３つ以上のサブフレーム画像を生成してもよい。以下に、３つのサブフレーム画像ＦＳ１〜ＦＳ３を生成する表示装置１Ｄ，１Ｅについて詳細に説明する。
【００９７】
図２０Ａ〜２０Ｃは、表示装置１Ｄのサブフレーム生成部１１Ｄの一動作例を表すものであり、図２０Ａは輝度情報Ｉの値がしきい値Ｉth1以下である場合を示し、図２０Ｂは輝度情報Ｉの値がしきい値Ｉth1よりも大きくかつしきい値Ｉth2以下である場合を示し、図２０Ｃは、輝度情報Ｉの値がしきい値Ｉth2よりも大きい場合を示す。この例では、輝度情報Ｉの階調範囲は、しきい値Ｉth1，Ｉth2により、３つの階調範囲（低階調範囲、中階調範囲、高階調範囲）に分けられている。サブフレーム生成部１１Ｄは、フレーム画像Ｆに含まれる各輝度情報Ｉの低階調範囲における輝度情報成分に基づいてサブ輝度情報ＩＳ１を生成し、中階調範囲における輝度情報成分に基づいてサブ輝度情報ＩＳ２を生成し、高階調範囲における輝度情報成分に基づいてサブ輝度情報ＩＳ３を生成する。そして、サブフレーム生成部１１Ｄは、サブ輝度情報ＩＳ１に基づいてサブフレーム画像ＦＳ１を生成し、サブ輝度情報ＩＳ２に基づいてサブフレーム画像ＦＳ２を生成し、サブ輝度情報ＩＳ３に基づいてサブフレーム画像ＦＳ３を生成するようになっている。
【００９８】
図２１は、表示装置１Ｄにおける表示動作を模式的に表すものである。表示装置１Ｄのサブ画素９は、サブ輝度情報ＩＳ１に応じた表示輝度Ｌ１で発光し、サブ輝度情報ＩＳ２に応じた表示輝度Ｌ２で発光し、サブ輝度情報ＩＳ３に応じた表示輝度Ｌ３で発光する。この例では、発光デューティ比ＤＲ１〜ＤＲ３を互いに等しくしている。表示装置１Ｄでは、サブ画素９は、表示輝度Ｌ１による表示と、表示輝度Ｌ２による表示と、表示輝度Ｌ３による表示とを時分割的に行う。これにより、ユーザは、表示輝度Ｌ１〜Ｌ３の和を、そのサブ画素９の表示輝度として観察するようになっている。
【００９９】
図２２は、表示装置１Ｄにおけるある動作モードでの動作のタイミング図を表すものであり、（Ａ）は画像信号Ｓpic4に含まれる垂直同期信号Ｖsyncの波形を示し、（Ｂ）は表示部３０の動作を示し、（Ｃ）は表示部３０の最上部の画素ラインに属するサブ画素９における発光輝度を表すものである。
【０１００】
表示装置１Ｄは、フレーム周期Ｔ０に対応する期間内に、３つのサブフレーム画像ＦＳ１〜ＦＳ３を時分割的に表示する。以下に、この詳細動作を説明する。
【０１０１】
まず、タイミングｔ７１における垂直同期信号Ｖsyncのパルスに応じて、駆動部２０は、タイミングｔ７２〜ｔ７４の期間において、サブフレーム画像ＦＳ１に基づく表示駆動を順次開始し（図２２（Ｂ））、タイミングｔ７３〜ｔ７５の期間において、サブフレーム画像ＦＳ１に基づく表示駆動を順次終了する（図２２（Ｂ））。表示部３０の最上部の画素ラインに属するサブ画素９は、タイミングｔ７１〜ｔ７２の期間において消光し、タイミングｔ７２〜ｔ７３の期間（発光期間Ｐ４）において、サブフレーム画像ＦＳ１に係るサブ輝度情報ＩＳ１に応じた発光輝度で発光する（図２２（Ｃ））。
【０１０２】
次に、タイミングｔ７３における垂直同期信号Ｖsyncのパルスに応じて、駆動部２０は、タイミングｔ７３〜ｔ７５の期間において、サブフレーム画像ＦＳ２に基づく表示駆動を順次開始し（図２２（Ｂ））、タイミングｔ７４〜ｔ７６の期間において、サブフレーム画像ＦＳ２に基づく表示駆動を順次終了する（図２２（Ｂ））。表示部３０の最上部の画素ラインに属するサブ画素９は、タイミングｔ７３〜ｔ７４の期間（発光期間Ｐ４）において、サブフレーム画像ＦＳ２に係るサブ輝度情報ＩＳ２に応じた発光輝度で発光し、タイミングｔ７４〜ｔ７５の期間において消光する（図２２（Ｃ））。
【０１０３】
次に、タイミングｔ７５における垂直同期信号Ｖsyncのパルスに応じて、駆動部２０は、タイミングｔ７５〜ｔ７７の期間において、サブフレーム画像ＦＳ３に基づく表示駆動を順次開始し（図２２（Ｂ））、タイミングｔ７６〜ｔ７８の期間において、サブフレーム画像ＦＳ３に基づく表示駆動を順次終了する（図２２（Ｂ））。表示部３０の最上部の画素ラインに属するサブ画素９は、タイミングｔ７５〜ｔ７６の期間（発光期間Ｐ４）において、サブフレーム画像ＦＳ３に係るサブ輝度情報ＩＳ３に応じた発光輝度で発光し、タイミングｔ７６〜ｔ７７の期間において消光する（図２２（Ｃ））。
【０１０４】
このように、表示装置１Ｄでは、制御部１６は、サブフレーム画像ＦＳ１に係る発光期間Ｐ４を遅らせ、その次のサブフレーム画像ＦＳ２に係る発光期間Ｐ４と隣り合わせる。これにより、動画を表示する際の画像のぼけ等を低減することができる。
【０１０５】
表示装置１Ｄでは、発光デューティ比ＤＲ１〜ＤＲ３を互いに等しくしたが、これに限定されるものではない。以下に、発光デューティ比ＤＲ２を大きくした表示装置１Ｅについて詳細に説明する。
【０１０６】
図２３は、表示装置１Ｅにおけるある動作モードでの動作のタイミング図を表すものであり、（Ａ）は画像信号Ｓpic4に含まれる垂直同期信号Ｖsyncの波形を示し、（Ｂ）は表示部３０の動作を示し、（Ｃ）は表示部３０の最上部の画素ラインに属するサブ画素９における発光輝度を表すものである。
【０１０７】
まず、タイミングｔ８１における垂直同期信号Ｖsyncのパルスに応じて、駆動部２０は、タイミングｔ８２〜ｔ８４の期間において、サブフレーム画像ＦＳ１に基づく表示駆動を順次開始し（図２３（Ｂ））、タイミングｔ８３〜ｔ８５の期間において、サブフレーム画像ＦＳ１に基づく表示駆動を順次終了する（図２３（Ｂ））。表示部３０の最上部の画素ラインに属するサブ画素９は、タイミングｔ８１〜ｔ８２の期間において消光し、タイミングｔ８２〜ｔ８３の期間（発光期間Ｐ４）において、サブフレーム画像ＦＳ１に係るサブ輝度情報ＩＳ１に応じた発光輝度で発光する（図２３（Ｃ））。
【０１０８】
次に、タイミングｔ８３における垂直同期信号Ｖsyncのパルスに応じて、駆動部２０は、タイミングｔ８３〜ｔ８５の期間において、サブフレーム画像ＦＳ２に基づく表示駆動を順次開始し（図２３（Ｂ））、タイミングｔ８５〜ｔ８７の期間において、サブフレーム画像ＦＳ２に基づく表示駆動を順次終了する（図２３（Ｂ））。表示部３０の最上部の画素ラインに属するサブ画素９は、タイミングｔ８３〜ｔ８５の期間（発光期間Ｐ４）において、サブフレーム画像ＦＳ２に係るサブ輝度情報ＩＳ２に応じた発光輝度で発光する（図２３（Ｃ））。その際、表示装置１Ｅでは、補正部１２が、発光期間Ｐ４の長さに応じてサブ輝度情報ＩＳ２を補正することにより、表示輝度Ｌ２を維持している。
【０１０９】
次に、タイミングｔ８５における垂直同期信号Ｖsyncのパルスに応じて、駆動部２０は、タイミングｔ８５〜ｔ８７の期間において、サブフレーム画像ＦＳ３に基づく表示駆動を順次開始し（図２３（Ｂ））、タイミングｔ８６〜ｔ８８の期間において、サブフレーム画像ＦＳ３に基づく表示駆動を順次終了する（図２３（Ｂ））。表示部３０の最上部の画素ラインに属するサブ画素９は、タイミングｔ８５〜ｔ８６の期間（発光期間Ｐ４）において、サブフレーム画像ＦＳ３に係るサブ輝度情報ＩＳ３に応じた発光輝度で発光し、タイミングｔ８６〜ｔ８７の期間において消光する（図２３（Ｃ））。
【０１１０】
このように、表示装置１Ｅでは、制御部１６は、サブフレーム画像ＦＳ２に係る発光期間Ｐ４を長くし、サブフレーム画像ＦＳ１に係る発光期間Ｐ４とサブフレーム画像ＦＳ２に係る発光期間Ｐ４とを隣り合わせ、サブフレーム画像ＦＳ２に係る発光期間Ｐ４とサブフレーム画像ＦＳ３に係る発光期間Ｐ４とを隣り合わせる。このようにしても、動画を表示する際の画像のぼけ等を低減することができる。
【０１１１】
［変形例５］
上記実施の形態では、フレーム画像Ｆを含む画像信号Ｓpicが供給され、サブフレーム生成部１１が、このフレーム画像Ｆに基づいてサブフレーム画像ＦＳ１，ＦＳ２を生成したが、これに限定されるものではない。これに代えて、例えば、図２４に示す表示装置１Ｆのように、サブフレーム画像ＦＳ１，ＦＳ２を含む画像信号Ｓpic2が供給されるようにしてもよい。表示装置１Ｆは、解析部１４Ｆを備えている。解析部１４Ｆは、画像信号Ｓpic2に基づいて、その画像信号Ｓpic2が示す画像を解析するものである。このように構成しても、上記実施の形態に係る表示装置１と同様の効果を得ることができる。
【０１１２】
＜２．適用例＞
次に、上述した実施の形態で説明した表示装置の適用例について説明する。上記実施の形態の表示装置は、テレビジョン装置、電子ブック、スマートフォン、デジタルカメラ、ノート型パーソナルコンピュータ、ビデオカメラ、ヘッドマウントディスプレイなど、外部から入力された画像信号あるいは内部で生成した画像信号を、画像あるいは画像として表示するあらゆる分野の電子機器の表示装置に適用することが可能である。
【０１１３】
上記実施の形態の表示装置は、例えば、図２５に示したようなモジュールとして、後述する各適用例に係る電子機器に組み込むようにしてもよい。このモジュールは、例えば、基板９１０上に、表示部９２０と、駆動回路９３０Ａ，９３０Ｂとが形成されたものである。基板９１０の一辺に配置された領域９４０には、駆動回路９３０と外部機器とを接続するための外部接続端子（図示せず）が形成されている。この例では、外部接続端子には、信号の入出力のためのフレキシブルプリント配線基板（ＦＰＣ；Flexible Printed Circuit）９５０が接続されている。表示部９２０は、上記実施の形態に係る表示部３０などを含んで構成されるものであり、駆動回路９３０Ａ，９３０Ｂは、上記実施の形態に係る表示装置１における表示部３０以外のブロックの全部または一部を含んで構成されるものである。
【０１１４】
図２６は、テレビジョン装置の外観を表すものである。このテレビジョン装置は、本体部１１０および表示部１２０を有しており、表示部１２０が、上記の表示装置により構成されている。
【０１１５】
上述した実施の形態で説明した表示装置は、様々な電子機器に適用することができる。本技術により、ダイナミックレンジを高めるとともに、表示する画像の特徴に適した発光タイミングなどを設定することができ、画質を高めることができる。本技術は、特に、据置型のテレビジョン装置のような画面サイズが大きい表示装置において、画像のぼけや２重像の低減に大きな貢献がある。
【０１１６】
以上、実施の形態および変形例、ならびに電子機器への適用例を挙げて本技術を説明したが、本技術はこれらの実施の形態等には限定されず、種々の変形が可能である。
【０１１７】
例えば、上記実施の形態では、各サブ画素９に１つの容量素子Ｃｓを設けたが、これに限定されるものではなく、これに代えて、例えば、図２７に示すサブ画素７のように、容量素子Ｃsubを設けてもよい。容量素子Ｃsubは、一端が発光素子４９のアノードに接続され、他端が発光素子４９のカソードに接続されている。すなわち、サブ画素７は、２つのトランジスタ（書込トランジスタＷＳＴｒ、駆動トランジスタＤＲＴｒ）および２つの容量素子Ｃｓ，Ｃsubを用いて構成される、いわゆる「２Ｔｒ２Ｃ」の構成を有するものである。
【０１１８】
また、上記実施の形態では、発光素子として有機ＥＬ素子を用いたが、これに限定されるものではなく、これに代えて、例えば無機ＥＬ素子などの様々な発光素子を用いることができる。また、この例では、本技術を自発光型の表示装置に適用したが、これに限定されるものではなく、これに代えて、例えば、液晶表示装置のような非発光型の表示装置に適用してもよい。図２８は、本変形例に係る表示装置２の一構成例を表すものである。表示装置２は、表示駆動部４１と、液晶表示部４２と、バックライト駆動部４３と、バックライト４４とを備えている。表示駆動部４１は、画像信号Ｓpic4に基づいて、液晶表示部４２を駆動するものである。液晶表示部４２は、表示駆動部４１による駆動に基づいて画像を表示するものである。バックライト駆動部４３は、制御信号ＣＴＬ２に基づいて、バックライト４４を駆動するものである。バックライト４４は、液晶表示部４２の背面側に配置されるものであり、バックライト駆動部４３による駆動に基づいて発光し、光を液晶表示部４２に射出するものである。この構成により、バックライト４４は、制御信号ＣＴＬ２により指示された発光タイミングや発光デューティ比ＤＲ１，ＤＲ２で発光する。
【０１１９】
なお、本明細書に記載された効果はあくまで例示であって限定されるものでは無く、また他の効果があってもよい。
【０１２０】
なお、本技術は以下のような構成とすることができる。
【０１２１】
（１）画素を有する表示部と、
複数のサブ輝度情報を含む輝度情報に基づいて前記表示部を駆動する駆動部と
を備え、
前記駆動部は、各サブ輝度情報に対して設定される１または複数の表示期間において、各サブ輝度情報に基づいて前記画素を時分割的に駆動し、
各表示期間の開始タイミングおよび前記表示期間の数の一方または双方が変更可能に構成された
表示装置。
【０１２２】
（２）前記駆動部は、各サブ輝度情報に対して１つの表示期間を設定する第１の動作モードを有し、
前記輝度情報は、第１のサブ輝度情報および第２のサブ輝度情報を含む所定数のサブ輝度情報を含み、
前記第１の動作モードにおいて、前記第１のサブ輝度情報に対して設定される表示期間の中心タイミングと、前記第２のサブ輝度情報に対して設定される表示期間の中心タイミングとの間の第１のタイミング差は、フレーム期間の時間長を前記所定数で割った区分時間長よりも短い
前記（１）に記載の表示装置。
【０１２３】
（３）前記駆動部は、各サブ輝度情報に対して１つの表示期間を設定する第２の動作モードを有し、
前記第２の動作モードにおける前記第１のタイミング差は、前記第１の動作モードにおける前記第１のタイミング差よりも長い
前記（２）に記載の表示装置。
【０１２４】
（４）前記輝度情報は、第３のサブ輝度情報をさらに含む
前記（２）または（３）に記載の表示装置。
【０１２５】
（５）前記第２のサブ輝度情報に対して設定される表示期間は、前記第１のサブ輝度情報に対して設定される表示期間、および前記第３のサブ輝度情報に対して設定される表示期間よりも長い
前記（４）に記載の表示装置。
【０１２６】
（６）前記第１の動作モードにおいて、前記第１のタイミング差は、一の輝度情報に対して設定される複数の表示期間のうちの最後の期間の中心タイミングと、前記一の輝度情報の次の一の輝度情報に対して設定される複数の表示期間のうちの最初の期間の中心タイミングとの間の第２のタイミング差よりも小さい
前記（２）から（５）のいずれかに記載の表示装置。
【０１２７】
（７）前記駆動部は、各サブ輝度情報に対して複数の表示期間を設定する第３の動作モードをさらに有し、
前記第３の動作モードにおいて、
前記第１のサブ輝度情報に対して設定される複数の表示期間のうちの最後の期間の中心タイミングと、前記第２のサブ輝度情報に対して設定される表示期間のうちの最初の期間の中心タイミングとの間の第３のタイミング差は、フレーム期間の時間長を前記所定数で割った区分時間長よりも短く、
一の輝度情報に対して設定される複数の表示期間のうちの最後の期間の中心タイミングと、前記一の輝度情報の次の一の輝度情報に対して設定される複数の表示期間のうちの最初の期間の中心タイミングとの間の第４のタイミング差は、前記区分時間長よりも短い
前記（２）から（６）のいずれかに記載の表示装置。
【０１２８】
（８）前記駆動部は、前記第３の動作モードにおいて、各サブ輝度情報に対して２つの表示期間を設定する
前記（７）に記載の表示装置。
【０１２９】
（９）前記第３の動作モードにおいて、
前記第１のサブ輝度情報に対して設定される複数の表示期間のうちの最後の期間の時間長は、最初の期間の時間長よりも長く、
前記第２のサブ輝度情報に対して設定される複数の表示期間のうちの最初の期間の時間長は、最後の期間の時間長よりも長い
前記（７）または（８）に記載の表示装置。
【０１３０】
（１０）前記第３の動作モードにおいて、
前記第１のサブ輝度情報に対して設定される複数の表示期間のうちの最後の期間の時間長は、最初の期間の時間長よりも長く、
前記第２のサブ輝度情報に対して設定される複数の表示期間のうちの最初の期間の時間長は、最後の期間の時間長よりも長い
前記（７）または（８）に記載の表示装置。
【０１３１】
（１１）前記駆動部は、フレーム画像の動き量に基づいて、動作モードを決定する
前記（２）から（１０）のいずれかに記載の表示装置。
【０１３２】
（１２）前記駆動部は、フレーム画像における、動きのある画像部分の比率に基づいて、動作モードを決定する
前記（２）から（１１）のいずれかに記載の表示装置。
【０１３３】
（１３）各表示期間の長さに応じて、対応するサブ輝度情報を補正する補正部をさらに備えた
前記（１）から（１２）のいずれかに記載の表示装置。
【０１３４】
（１４）入力輝度情報の値がとりうる範囲を複数の階調範囲に区分し、前記入力輝度情報の各階調範囲における輝度情報成分を各サブ輝度情報として求める信号生成部をさらに備えた
前記（１）から（１３）のいずれかに記載の表示装置。
【０１３５】
（１５）画素を有する表示部と、
発光部と、
複数のサブ輝度情報を含む輝度情報に基づいて前記表示部および前記発光部を駆動する駆動部と
を備え、
前記駆動部は、各サブ輝度情報に基づいて前記画素を時分割的に駆動するとともに、各サブ輝度情報に対して設定される１または複数の発光期間において前記発光部を駆動し
各発光期間の開始タイミングおよび前記発光期間の数の一方または双方が変更可能に構成された
表示装置。
【０１３６】
（１６）前記表示部は液晶表示部であり、
前記発光部はバックライトであり、
前記駆動部は、複数の動作モードを有し、動作モードに応じて、各発光期間の開始タイミングおよび前記発光期間の数の一方または双方を変化させる
前記（１５）に記載の表示装置。
【０１３７】
（１７）輝度情報に含まれる複数のサブ輝度情報のそれぞれに対して１または複数の表示期間を設定することと、
前記１または複数の表示期間において、各サブ輝度情報に基づいて画素を時分割的に駆動することと
を含み、
各表示期間の開始タイミングおよび前記表示期間の数の一方または双方が変更可能である
表示装置の駆動方法。
【０１３８】
（１８）表示装置と
前記表示装置に対して動作制御を行う制御部と
を備え、
前記表示装置は、
画素を有する表示部と、
複数のサブ輝度情報を含む輝度情報に基づいて前記表示部を駆動する駆動部と
を備え、
前記駆動部は、各サブ輝度情報に対して設定される１または複数の表示期間において、各サブ輝度情報に基づいて前記画素を時分割的に駆動し、
各表示期間の開始タイミングおよび前記表示期間の数の一方または双方が変更可能に構成された
電子機器。
【符号の説明】
【０１３９】
１，１Ｄ，１Ｅ，１Ｆ，２…表示装置、９，９Ｒ，９Ｇ，９Ｂ…サブ画素、１１，１１Ｄ…サブフレーム生成部、１２…補正部、１３…パネルガンマ変換部、１４，１４Ｆ…解析部、１５…基準条件設定部、１６…制御部、２０…駆動部、２１…走査線駆動部、２２…電源線駆動部、２３…データ線駆動部、３０…表示部、４１…表示駆動部、４２…液晶表示部、４３…バックライト駆動部、４４…バックライト、４９…発光素子、ＡＲ…解析結果、Ｃｓ…容量素子、ＣＴＬ１，ＣＴＬ２…制御信号、ＤＲＴｒ…駆動トランジスタ、ＤＳ…電源信号、Ｆ…フレーム画像、ＦＳ１〜ＦＳ３…サブフレーム画像、Ｉ，ＩＤ，ＩＲ，ＩＧ，ＩＳ１〜ＩＳ３…サブ輝度情報、ＩＣ…基準条件情報、Ｉth，Ｉth1，Ｉth2…しきい値、Ｌ，Ｌ１，Ｌ２…表示輝度、Ｐix…画素、ＰＬ…電源線、Ｐ１…初期化期間、Ｐ２…Ｖth補正期間、Ｐ３…書込・μ補正期間、Ｐ４…発光期間、Ｓig…信号、Ｓpic，Ｓpic2，Ｓpic3，Ｓpic4…画像信号、Ｔ０…フレーム周期、Ｖcath，Ｖccp，Ｖext，Ｖofs，Ｖini…電圧、Ｖsig…画素電圧、ＷＳ…走査信号、ＷＳＬ…走査線、ＷＳＴｒ…書込トランジスタ。
【図１】
2015155989.tif 000003
【図２Ａ】
2015155989.tif 000004
【図２Ｂ】
2015155989.tif 000005
【図３】
2015155989.tif 000006
【図４】
2015155989.tif 000007
【図５】
2015155989.tif 000008
【図６】
2015155989.tif 000009
【図７】
2015155989.tif 000010
【図８】
2015155989.tif 000011
【図９】
2015155989.tif 000012
【図１０】
2015155989.tif 000013
【図１１】
2015155989.tif 000014
【図１２】
2015155989.tif 000015
【図１３】
2015155989.tif 000016
【図１４】
2015155989.tif 000017
【図１５】
2015155989.tif 000018
【図１６】
2015155989.tif 000019
【図１７】
2015155989.tif 000020
【図１８】
2015155989.tif 000021
【図１９】
2015155989.tif 000022
【図２０Ａ】
2015155989.tif 000023
【図２０Ｂ】
2015155989.tif 000024
【図２０Ｃ】
2015155989.tif 000025
【図２１】
2015155989.tif 000026
【図２２】
2015155989.tif 000027
【図２３】
2015155989.tif 000028
【図２４】
2015155989.tif 000029
【図２５】
2015155989.tif 000030
【図２６】
2015155989.tif 000031
【図２７】
2015155989.tif 000032
【図２８】
2015155989.tif 000033